(57)【要約】【課題】輸送や保管に便利な角筒体容器でありながら、円筒形の綿棒容器への詰め替えが容易な綿棒の詰替容器を提供する。【解決手段】綿棒の詰替容器１０は、４つの壁部を有し、各壁部の内面の略中央部にそれぞれ外方に山折り可能な折れ線３が一方の開口から他方の開口にわたって形成された、断面が略正方形の角筒体１と、角筒体１の一方の開口に取り外し可能に取り付けられた底板２と、を備える。角筒体１の内部には詰替用の複数の綿棒５が充填されている。角筒体１の各壁部は、それぞれ周囲から押圧された状態で、折れ線３で外方に折れ曲がる。【選択図】図１
0003225035.tif 000002
【実用新案登録請求の範囲】
【請求項１】
４つの壁部を有し、各壁部の内面の略中央部にそれぞれ外方に山折り可能な折れ線が一方の開口から他方の開口にわたって形成された、断面が略正方形の角筒体と、
前記角筒体の一方の開口に取り外し可能に取り付けられた底板と、を備え、
前記角筒体の内部に詰替用の複数の綿棒が充填されており、
前記角筒体の各壁部は、それぞれ周囲から押圧された状態で、前記折れ線で外方に折れ曲がるようにしたことを特徴とする綿棒の詰替容器。
【請求項２】
前記角筒体が、紙製容器である請求項１に記載の綿棒の詰替容器。
【請求項３】
断面が略正方形の前記角筒体は、周囲から押圧された状態で、断面が略八角形に変形する請求項１または２に記載の綿棒の詰替容器。
【考案の詳細な説明】
【技術分野】
【０００１】
本考案は、綿棒の詰替容器に関する。
【背景技術】
【０００２】
従来、綿棒はプラスチックなどの有底円筒容器に収容され販売されている。綿棒を全て使い切った後、空の容器に詰替用の綿棒を詰め替えることが広く行なわれている。このような詰替用の綿棒容器は、円筒形の綿棒容器への綿棒の詰め替えが容易に行えるように、断面が略円形になっている。
【０００３】
しかし、直方体の輸送用又は保管用容器に円筒形の詰替容器を複数収容すると、詰替容器の周囲に間隙部ができるため、輸送効率が下がってしまい、保管時にも場所をとるという問題がある。
【０００４】
特許文献１には、テープ状の巻装帯で結束した詰替用綿棒の巻装体を、直方体状の外装体に収容し、使用時に外装体より巻装体を取り外し、円筒形の綿棒容器に容易に収容しやすい円柱状に変形させるようにした詰替えパックが記載されている。
【先行技術文献】
【特許文献】
【０００５】
【特許文献１】特開平８−１１９３２３号公報
【考案の概要】
【考案が解決しようとする課題】
【０００６】
しかしながら、上記した綿棒詰替えパックは、巻装帯で複数の綿棒を結束する作業を必要とし、かつ巻装体の他に外装体をも必要とするため、作業が煩雑でコストアップになる。
【０００７】
本考案の課題は、輸送や保管に便利な角筒体容器でありながら、円筒形の綿棒容器への詰め替えが容易な綿棒の詰替容器を提供することである。
【課題を解決するための手段】
【０００８】
本考案の綿棒の詰替容器は、４つの壁部を有し、各壁部の内面の略中央部にそれぞれ外方に山折り可能な折れ線が一方の開口から他方の開口にわたって形成された、断面が略正方形の角筒体と、角筒体の一方の開口に取り外し可能に取り付けられた底板と、を備え、角筒体の内部に詰替用の複数の綿棒が充填されており、角筒体の各壁部は、それぞれ周囲から押圧された状態で、折れ線で外方に折れ曲がるようにしたことを特徴とする。
【考案の効果】
【０００９】
本考案の詰替容器は断面が略正方形の角筒体であるため、輸送や保管用の容器に収容する場合、円筒形状の容器よりも多く収容できるため輸送効率が向上し、且つ保管時の省スペースにもなる。
一方、詰替時には、角筒体を手で握持し、周囲から押圧すると、角筒体の４つの壁部内面の略中央部に形成された折れ線で角筒体の各壁部が外方に折れ曲がり、角筒体の断面が円形に近い略八角形に変形するため、容易に綿棒を円筒形の容器に詰め替えることができる。
【図面の簡単な説明】
【００１０】
【図１】（ａ）は本考案の一実施形態に係る詰替容器を示す斜視図であり、（ｂ）は（ａ）の断面図である。
【図２】（ａ）および（ｂ）は本考案の一実施形態に係る詰替容器の動作を示す説明図である。
【図３】本考案の一実施形態に係る詰替容器を用いた詰め替え方法を示す説明図である。
【考案を実施するための形態】
【００１１】
図１（ａ）に示すように、本考案の一実施形態に係る詰替容器１０は、断面が略正方形の角筒体１と、角筒体１の一方の開口に取り外し可能に取り付けられた底板２と、を備える。角筒体１の内部には複数の綿棒５が収容される。
【００１２】
角筒体１は、４つの壁部１ａ〜１ｄから形成され、断面が略正方形の筒状体である。角筒体１の開口の一方には底板２が取り付けられる。他方の開口には樹脂フィルムなどの蓋体（図示せず）が取り付けられていてもよい。
【００１３】
角筒体１の素材としては、強度があり、且つ後述する折れ線３で変形可能なものがよい。例えば、紙シート、樹脂シートなどが挙げられる。中でも再利用やコストの点から紙製容器が好ましい。また、複数枚の紙シートを積層・接着したり、樹脂などを含浸させたりして、耐久性や耐水性を付与してもよい。
【００１４】
角筒体１の組み立て方法は特に限定されない。例えば、１枚の厚紙に折り目をつけ、この折り目を折って各壁部１ａ〜１ｄを形成し、最後に端部または両端部に設けた糊付け部（図示せず）に糊付けし接着して角筒体１を組み立てる。
その際、図１（ｂ）に示すように、壁部１ａ〜１ｄの内面の略中央部には、それぞれ外方に山折り可能な折れ線３が、角筒体１の一方の開口から他方の開口にわたって形成されている。
【００１５】
底板２は、角筒体１の開口の一方に取り外し可能に取り付けられ、角筒体１の内部の綿棒を支えるものである。この底板２は角筒体１と同様に断面が略正方形であり、角筒体１内側又は外側に嵌め込まれる。底板２は、綿棒の詰め替え時に角筒体１から取り外す。底板２の材質は特に限定されず、角筒体１と同じ素材から形成されていてもよい。
【００１６】
本考案の一実施形態に係る詰替容器の動作を図２（ａ）および（ｂ）に示す。図２（ｂ）に示した矢印は、使用者の手９により押圧される圧力の方向を示す。
まず、底板２を角筒体１から取り外す。次いで、図２（ａ）および（ｂ）に示すように、使用者の手９で詰替容器１０（角筒体１）を握持し、角筒体１の内方に向けて圧力をかける。
周囲から押圧された角筒体１は、各壁部１ａ〜１ｄが壁部内面の略中央部の折れ線３により外方に折れ、図２（ｂ）に示すように、角筒体１の断面の形状が円形に近い略八角形に変形する。
【００１７】
略八角形に変形した状態で、図３に示すように、角筒体１を綿棒容器４に挿入し、角筒体１の内部に収容された綿棒５を綿棒容器４に移す。綿棒５を移し終えた後、角筒体１を上に持ち上げると、詰め替えが完了する。
【００１８】
なお、図３に示す綿棒容器４は、綿棒を立てて収容できる円筒形の角筒体であり、綿棒容器４の径は、詰替容器１０の角筒体１を押圧した略八角形の最大径よりも大きいのが好ましい。
【００１９】
本考案の詰替容器１０は、本実施形態に限定されず、種々の改良や変更が可能である。
【符号の説明】
【００２０】
１    角筒体
１ａ、１ｂ、１ｃ、１ｄ  壁部
２    底板
３    折れ線
４    綿棒容器
５    綿棒
９    使用者の手
１０  詰替容器
【図１】
0003225035.tif 000003
【図２】
0003225035.tif 000004
【図３】
0003225035.tif 000005